(57)【要約】パター（２２）と共に使用するゴルフのパッティング練習装置（１）であって、該装置（１）が、基部（１０）から直立する支持部（１１）を有する基部（１０）及び前記支持部（１１）に支持されるガイド（１２）を有する。該ガイド（１２）は、パッティングの際にパター（２２）のシャフト（２１）が面に沿って滑る為の細長い誘導面（１８）を有する。指標（１７）は、誘導面（１８）の下に基部（１０）から横方向に伸びており、指標（１７）に近接して位置付けられたゴルフボール（２４）に対するパターヘッド（２３）の面の位置合わせの視覚的な表示をゴルファー（１９）に提供する。使用時に、シャフト（２１）が誘導面（１８）に沿って走り、その上、指標（１７）を使ってパターヘッド（２３）の面がゴルフボール（２４）を打つのに適した角度に位置合わせされるようにパター（２２）を振ることにより、ゴルファー（１９）はパッティングストロークを練習することができる。【選択図】図３
2011518594.tif 000002
【特許請求の範囲】
【請求項１】
シャフト及びヘッド並びに前記ヘッドに備えられた面を有するパターと共に使用するゴルフのパッティング練習装置であって、基部から直立する支持部を有する基部、パターの前記シャフトと接触する為の細長い誘導面を有し、前記支持部に支持されるガイド、及び誘導面の下に基部から横方向に伸びており、ゴルフボールに対するパターヘッドの面の位置合わせの視覚的な表示をゴルファーに提供する指標、から成る装置において、使用時に、シャフトが誘導面に沿って走り、その上、指標を使ってパターヘッドの面がゴルフボールを打つのに適した角度に位置合わせされるようにパターを振ることにより、ゴルファーはパッティングストロークを練習することができる装置。
【請求項２】
支持部が、基部から直立する下部と、該下部に対して実質的に９０度の角度に伸びている上部と、を有することを特徴とする請求項１に記載のゴルフのパッティング練習装置。
【請求項３】
ガイドは支持部の上部から横方向に伸びており、誘導面が実質的に垂直面に位置していることを特徴とする請求項２に記載のゴルフのパッティング練習装置。
【請求項４】
指標が基部から支持部の上部と同じ方向に伸びており、実質的に支持部の上部と垂直方向に位置合わせされていることを特徴とする請求項２又は３に記載のゴルフのパッティング練習装置。
【請求項５】
基部が一般的に平坦な基部板から成ることを特徴とする請求項２〜４のいずれか１つに記載のゴルフのパッティング練習装置。
【請求項６】
基部が２つの対向する長い端と２つの対向する短い端とを有することを特徴とする請求項５に記載のゴルフのパッティング練習装置。
【請求項７】
支持部の下部が、基部板の２つの対向する短い端の実質的に中間に位置する、基部板の対向する長い端の１つの点から上方に伸びていることを特徴とする請求項６に記載のゴルフのパッティング練習装置。
【請求項８】
細長い誘導面が、基部板の長い端に対して実質的に平行に伸びていることを特徴とする請求項６又は７に記載のゴルフのパッティング練習装置。
【請求項９】
指標が、基部板の対向する長い端の１つに沿う実質的に中間の点から実質的に水平に伸びていることを特徴とする請求項６〜８のいずれか１つに記載のゴルフのパッティング練習装置。
【請求項１０】
ガイドが垂直面において、パターのシャフト上のある点の部位に近接する、アーチ形状を有していることを特徴とする請求項１〜９のいずれか１つに記載のゴルフのパッティング練習装置。
【請求項１１】
細長い誘導面が、水平面において線形状を有していることを特徴とする請求項１〜１０のいずれか１つに記載のゴルフのパッティング練習装置。
【請求項１２】
細長い誘導面が、水平面においてアーチ形状を有していることを特徴とする請求項１〜１０のいずれか１つに記載のゴルフのパッティング練習装置。
【請求項１３】
細長い誘導面が、水平面において線形状とアーチ形状の間で調節可能であることを特徴とする請求項１〜１０のいずれか１つに記載のゴルフのパッティング練習装置。
【発明の詳細な説明】
【技術分野】
【０００１】
本願発明はゴルフの練習装置に関する。特に、パッティングストロークを練習し改善したいゴルファーにより使用される装置に関する。
【背景技術】
【０００２】
パッティングはゴルフをする時におそらく間違いなく一番重要な技術であると考えられている。ゴルフを習い、練習する時に、ゴルファーはグリーン上でゴルフクラブを正しい方法でスイングする能力、それから、いつでも正しいパッティングストロークが繰り返せる確実性を発達させなければならない。原則としてはこのことは比較的簡単なことのように思われるが、現実としては、アマチュア及びプロの両方の多くのゴルファーが彼らのパッティングの質の悪さに失望させられている。
【０００３】
グリーン上では、ほとんどのゴルファーがパターとして知られる、グリーンに沿ってゴルフボールを転がすことを容易にする為のまっすぐな面を備えたヘッドを有する、その為にデザインされたゴルフクラブを使用する。そして、パッティングストロークを可能な限りまっすぐに維持することが重要である。理想としては、パターのヘッドがゴルファーの体の正面と実質的に合わさる垂直な平面において軌道をたどるべきである。実際には、ほとんどのゴルファーがストロークの始めと終わりにおいてクラブのヘッドをこの平面から外してしまう傾向があるが、パターヘッドの面がボールと接触する時にクラブがこの平面にあることは非常に重大なことである。さらに、ゴルフボールに対するパターヘッドの面の最適な打つ角度を達成する為には、パターヘッドの面がこの平面に対して垂直であることが必要である。そして、正確なパットを打つ為には、ゴルファーが、下向きのストロークではなく上向きのストロークの開始時に、ボールを打つことも必要である。
【０００４】
したがって、パットを習っている練習中のゴルファーは、ゴルファーの体の正面と実質的に合わさる垂直な平面に対して直角にパターヘッドの面がボールを打つと共に、上りストロークの開始時にボールを打つように、ゴルフクラブをコントロールする技術を習得しなければならない。その次の段階では、最適なパッティングストローク、又は、少なくとも許容できる誤差の範囲内の、最適に非常に近いパッティングストロークを常に繰り返す方法を習う。ゴルフコースでプレイする時、ひょっとしたらトーナメントでプレイする時の極度のプレッシャーの下でも、ゴルファーはそのようなパッティングストロークを何度も繰り返すことができる必要がある。この最適なパッティングストロークの確実な再現を実現する為には、たくさんの時間の練習と実践が必要である。
【０００５】
長年にわたり、練習中にゴルファーがパッティングストロークを改善するのに役に立つように、様々な装置が提案されている。そのような装置には、改良された又は加重されたゴルフクラブ、ゴルファーの足又は脚を正しく位置付ける装置、ゴルファーの腕又は上半身の動作を制限する装置、及びゴルフクラブがワイヤー又はその他の手段によりゴルフクラブの動作を誘導する又は制御する装置に取り付けられている精巧なシステムが含まれる。
【０００６】
周知の練習補助機器は完全に満足できるものではなかった。より精巧なシステムの多くはアマチュアゴルファーには手が出ないほどに高価であり、その上、多くの提案された装置により達成される結果は不確かなものであった。さらに、ゴルファーのパッティングの軌道を身体的に制限する装置の使用は、練習中においては改善をもたらすものであったとしても、そのような結果は、補助装置の使用が許可されていないゴルフコース上においてゴルフをプレイする時にもすぐに発揮されるものではない。
【発明の概要】
【発明が解決しようとする課題】
【０００７】
本願発明は、製造及び購入が安価であり、ゴルファーのパッティングストロークの身体的な制限を必要としない、そして、ゴルフコースにおいても発揮することができるゴルファーのパッティングストロークの改善を実現することができるゴルフのパッティング練習装置を提供することにより、上記問題を解決することを目的とするものである。さらに、本願発明の装置は、常に再現可能な最適なパッティングストロークを構築する為に必要な練習の時間数を著しく減少することができると考えられる。
【課題を解決するための手段】
【０００８】
本願発明による、シャフト及びヘッド並びに前記ヘッドに備えられた面を有するパターと共に使用するゴルフのパッティング練習装置であって、基部から直立する支持部を有する基部、パターの前記シャフトと接触する為の細長い誘導面を有し、前記支持部に支持されるガイド、及び誘導面の下に基部から横方向に伸びており、ゴルフボールに対するパターヘッドの面の位置合わせの視覚的な表示をゴルファーに提供する指標、から成る装置において、使用時に、シャフトが誘導面に沿って走り、その上、指標を使ってパターヘッドの面がゴルフボールを打つのに適した角度に位置合わせされるようにパターを振ることにより、ゴルファーはパッティングストロークを練習することができる装置を提供する。
【０００９】
ガイドは、単にパターのシャフト及びヘッドの最適な軌道の視覚的な表示を与える為に使用されても良いが、好ましくは、使用時に、ゴルファーがパターのシャフトを誘導面に沿って滑らせる、物質的なガイドとして使用される。この方法により、ガイドはパターの動作を身体的に制限することを意図しておらず、単にゴルファーがパターヘッドの最適な軌道を維持するのに役立てる為にパターシャフトを滑らせる表面を提供する。ガイドは、垂直面において、振られるパターのシャフト上のある点の部位に近接するアーチ形状を有していてもよい。
【００１０】
ゴルファーがパターの直線軌道を維持するのに役立つように、誘導面は水平面において線形とすることができる。或いは、ゴルファーがアーチ状のパッティングの軌道をたどることができるように、誘導面は水平面においてアーチ形とすることもできる。この後者の実施形態の場合、パターは、ストロークの始めと終わりにおいて、ゴルファーの体の正面と実質的に合わさる垂直な平面から外れる。本願発明の好ましい実施形態においては、誘導面は水平面において線形とアーチ形状との間で調節可能である。
【００１１】
パターのシャフトを誘導面に沿って滑らせることを可能にする為に、ガイドは基部から適切な高さに位置付けられていることが必要である。さらに、支持部又は基部とパターが誤って接触することを防止する為に、誘導面が支持部又は基部から水平方向に間隔を空けて配置されることが好ましい。この為に、支持部は基部から直立している下部と該下部から９０度の角度で実質的に水平方向に伸びている上部とから成ることができる。
【００１２】
ゴルファーがパターでフルスイングをするのに十分な空間があることを確実にするように、ガイドは支持部に対して位置付けられていなければならない。好ましくは、ガイドは支持部の上部から横方向に伸びており、誘導面が垂直面に位置している。このようにして、ゴルファーが支持部のすぐ後ろに立つと、ガイドはゴルファーの体の正面と合わさって位置付けられる。
【００１３】
指標は、ガイドに沿って振られたパターの理想との比較対照としてパターヘッドの面の角度の視覚的な表示をゴルファーに提供する。理想としては、指標は誘導面から直角に配置される。好ましくは、指標は支持部の上部と同じ方向に基部から伸びており、支持部の上部と実質的に垂直方向に位置合せされている。このようにして、ゴルファーは最適なパッティングストロークを視覚的に理解することができる。
【００１４】
原則として、本願発明による装置の基部は、その上に支持部と位置合わせの指標が取り付けられた単なる板であってよい。好ましくは、基部は一般的に平坦な板から成るとよい。
【００１５】
本願発明の好ましい形状において、基部板は２つの対向する長い端と２つの対向する短い端を有する。短い端は半円アーチ形状としてもよい。随意的に、板はさらに、最適なパッティング位置を実現する為に、基部の後にゴルファーの足を位置合せするのに適当な目印を備えていてもよい。
【００１６】
実際には、ゴルファーは足を基部板の後に、支持部のそれぞれの側に１つずつ置く。この位置において、ゴルファーの頭は指標の真上にあると共に、ゴルファーの体の正面は指標に対して直角になるので、ゴルファーは基部から伸びている指標に対するパターヘッドの角度をはっきりと見ることができる。
【００１７】
好ましくは、支持部の下部は、実質的に基部板の２つの対向する短い端の中間において、基部板から上方に伸びている。この実施形態において、誘導面は基部板の長い端に対して実質的に平行に伸びているのが好ましい。このことが、支持部が基部の長さに沿って中心に配置されることを確実にし、したがって、支持部のそれぞれの側に等しい間隔を与える。
【００１８】
指標は、好ましくは、基部板の長い端の１つに沿う実質的に中間の点から水平に伸びている。このようにして、指標は支持部の上部及びガイドの中間点と垂直に位置合わせされ、したがって、最適なパッティングストロークを視覚的に理解することを容易にする。
【００１９】
本装置はほとんど又は完全に金属から形成することができるが、もちろん必要な物質的特徴を有する他の材料を使用することもできる。好ましくは、支持部材、ガイド部材及び位置合わせ指標は円形又は楕円形の断面を有する金属棒から製造される。
【００２０】
特に初心者のゴルファーには、練習のストロークにおいてパターヘッドが指標に激突することが起こり得る。そのような激突は、パターヘッドの位置が低すぎて、ゴルフボールに対するパターヘッドの垂直な位置合わせが正しくない、又は最適には及ばないことを表している。理想としては、パッティングストロークにおいて、上向きのストロークの開始時にゴルフボールを打つと良く、ゴルファーがこのことを達成する為に練習において役に立つように、指標の垂直の高さは選択されることができる。
【発明の効果】
【００２１】
この装置を使用してパターを振る練習を繰り返すことにより、結果としてゴルファーのパッティングストロークが改善される。何回かそのような練習を繰り返すと、ゴルファーは装置が無くても、例えばゴルフコース上で、最適なパッティングストロークを視覚化できるようになり始める。ゴルファーの筋肉もまた最適なパッティングストロークでパターを振るように調整され、一貫したパッティングストロークを再現することがより容易になる。この現象は、しばしばスポーツ科学者により「筋肉記憶」と呼ばれている。
【図面の簡単な説明】
【００２２】
【図１】本願発明によるゴルフのパッティング練習装置の斜視図である。
【図２】本願発明によるゴルフのパッティング練習装置の平面図である。
【図３】ゴルファーが本願発明によるゴルフのパッティング練習装置を使用している様子を示す斜視図である。
【発明を実施するための最良の形態】
【００２３】
本願発明が完全に理解できるように、本願発明の好ましい実施形態を図面を参照して以下に詳しく記載するが、単なる例として示すものである。
【００２４】
図１及び２を参照すると、符号１として示される、ゴルフのパッティング練習装置が示されており、該装置は平坦な基部１０を有し、基部１０から基部１０とガイド１２を接続する支持部１１が伸びている。基部１０からガイド１２を間隔をおいて配置する為に、支持部１１は下部１３と下部１３に対して垂直に伸びている上部１４を有している。ガイド１２は、ゴルフのパッティング練習装置１と共にパットを行う為に使用されるパターシャフト（図１及び図２には示されていない）上のある点の部位に近接するように、垂直面においてわずかに曲がっている。基部１０は２つの対向する長い端１５と２つの対向する短い端１６を有する。基部１０の長い端１５の１つの中間点から横方向に指標１７が伸びており、指標１７は、指標１７に近接して配置されるゴルフボール（図１及び図２には示されていない）に対してパターヘッド（図１及び図２には示されていない）の面を位置合わせする為の視覚的な表示を提供する。
【００２５】
図２から分かるように、ガイド１２は基部１０の長い端１５の１つから水平方向に位置がずれている。ガイド１２により誘導面１８が提供され、誘導面１８に沿ってパターのシャフト（図１及び図２には示されていない）を滑らせることができる。図２に示される誘導面１８は、ゴルファーが直線のパッティング軌道を維持するのに役立つように、水平面において線形に形成される。本願発明の変形実施例（図示されていない）においては、誘導面１８は、この水平面においてアーチ形に形成されてもよく、又は線形とアーチ形の間で調節可能にしてもよい。支持部１１の上部１４は垂直方向に指標１７の上方にある。
【００２６】
次に、図３を参照すると、ゴルファー１９によって使用されている、ゴルファー１９のパッティングストロークを練習して改善する為のゴルフのパッティング練習装置１が示されている。ゴルファー１９は基部１０の後に、支持部１１のそれぞれの側に１つずつゴルファー１９の足２０を配置して立っており、ガイド１２の誘導面１８上にパター２２のシャフト２１を位置付けている。その後、ゴルファー１９は誘導面１８に沿ってシャフト２１が走るようにパター２２を振る。その代わりに、特にゴルファーの技術が改善されたら、ゴルファー１９は、身体的な手助けを提供するガイド１２に完全には頼らないことを選択し、ガイド１２を単に最適なパッティングストロークの視覚的な表示を与えることにだけ使用することもできる。
【００２７】
指標１７は、ゴルファー１９に最適なパッティングストロークを達成する為の更なる視覚的な手助けを与える。理想としては、パターヘッド２３の面は、誘導面１８に対して直角になるべきであり、したがって、指標１７に近接して配置されたゴルフボール２４を打つすぐ前の指標１７を通り過ぎる時点において、指標１７と位置合せされるべきである。
【００２８】
正確なパットを実現する為には、ゴルファー１９が上向きのストロークの開始時にボール２４を打つことが必要である。もしゴルファー１９が、パターヘッド２３が位置合わせの指標１７に当たるように、パター２２を振った場合、このことは、ゴルフボール２４に対するパター２２のヘッド２３の垂直な位置が低すぎることを示している。特にパッティング練習装置１が初心者のゴルファー１９によって使用されると、パターヘッド２３と位置合わせの指標１７との間における激突が時々起こる。そのような激突は、ゴルファー１９に更なる改善が必要であることを示し、そして、更なる激突の可能性を最小限にする為に、ゴルファー１９は自動的に矯正処置をとる。
【００２９】
このパッティング練習装置１を意図した方法で繰り返し使用することにより、ゴルファー１９はやがて、最適に対応する最適に近いパッティングストロークを常に再現できるように、身体的にも精神的にも訓練される。
【符号の説明】
【００３０】
１  パッティング練習装置
１０  基部
１１  支持部
１２  ガイド
１３  １１の下部
１４  １１の上部
１５  １０の長い端
１６  １０の短い端
１７  指標
１８  １２の誘導面
１９  ゴルファー
２０  １９の足
２１  ２２のシャフト
２２  パター
２３  ２２のヘッド
２４  ゴルフボール
【図１】
2011518594.tif 000003
【図２】
2011518594.tif 000004
【図３】
2011518594.tif 000005
【国際調査報告】
2011518594.tif 000006
2011518594.tif 000007
2011518594.tif 000008